(57)【要約】      （修正有）【課題】確実に情報の伝達を行ないながら、効率的に作業を行なうことができる配送支援システム及び配送支援方法を提供する。【解決手段】コンテナ１００が工程管理ユニット３０の設置エリアに到達した場合、まず、管理コンピュータ２１は、コンテナ１００の特定を行なう。タグＩＤに関するデータを受信した管理サーバ２０の管理コンピュータ２１は、このコンテナに梱包するパッケージを特定する。ユニット制御部は、特定したパッケージにおいて最初に梱包する品目を特定する。そして、ユニット制御部は、リライタブルペーパ５００に描画された画像の消去処理を実行する。そして、梱包する商品の特定情報を描画する書込処理を実行する。この消去処理、書込処理はＣＯ２レーザを用いて行なわれる。【選択図】図１
2007076768.tif 000002
【特許請求の範囲】
【請求項１】
可視的に情報が可逆表示される可逆表示媒体を備えたコンテナと、前記コンテナの搬送手段と、前記可逆表示媒体に描画を行なうためのレーザ照射手段と、前記コンテナに梱包して配送するアイテムを記録した配送アイテムデータ記憶手段と、これらの制御手段とを備え、アイテムを梱包したコンテナの配送を支援するシステムであって、
前記制御手段が、
前記配送アイテムデータ記憶手段に記録されたアイテムの中から、前記コンテナに梱包するアイテムを特定するアイテム特定処理手段と、
前記レーザ照射手段を用いて、前記搬送手段上のコンテナの可逆表示媒体に、前記特定したアイテムに関する特定情報を画像として描画する書込制御手段と、
前記配送アイテムデータ記憶手段に対して、前記コンテナへの前記アイテムの梱包を識別するためのデータ更新を実行する更新処理手段
として機能することを特徴とする配送支援システム。
【請求項２】
前記配送支援システムは、前記可逆表示媒体に描画された画像を消去するためのレーザ照射手段を更に備えたことを特徴とする請求項１に記載の配送支援システム。
【請求項３】
前記可逆表示媒体には、データを記録可能なＩＣタグが貼付され、
前記ＩＣタグを、前記配送アイテムデータ記憶手段として用い、
前記更新処理手段は、前記特定情報を画像として描画する場合に、前記ＩＣタグに記録された前記アイテムに関するデータを消去することを特徴とする請求項１又は２に記載の配送支援システム。
【請求項４】
前記可逆表示媒体には、データを記録可能なＩＣタグが貼付され、
前記ＩＣタグを、前記配送アイテムデータ記憶手段として用い、
前記更新処理手段は、前記特定情報を画像として描画する場合に、前記ＩＣタグに記録された前記アイテムに関するデータに対して梱包済みであることを示すフラグデータを記録することを特徴とする請求項１又は２に記載の配送支援システム。
【請求項５】
前記可逆表示媒体には、位置認識用マーカが表示されており、
前記配送支援システムは撮像手段を更に備え、
前記制御手段は、前記撮像手段を用いて前記可逆表示媒体の位置認識用マーカを撮影して、前記レーザ照射手段に対する前記可逆表示媒体の傾きを算出し、
前記傾きに応じて、前記アイテムに関する画像を変形して可逆表示媒体に描画することを特徴とする請求項１〜４のいずれか１つに記載の配送支援システム。
【請求項６】
前記制御手段は、前記搬送手段によるコンテナの移動速度を特定し、
前記移動速度に応じて前記レーザ照射手段の照射位置を変更しながら、前記コンテナの可逆表示媒体への描画を行なうことを特徴とする請求項１〜４のいずれか１つに記載の配送支援システム。
【請求項７】
可視的に情報が可逆表示される可逆表示媒体を備えたコンテナと、前記コンテナの搬送手段と、前記可逆表示媒体に描画を行なうためのレーザ照射手段と、前記コンテナに梱包して配送するアイテムを記録した配送アイテムデータ記憶手段と、これらの制御手段とを備え、アイテムを梱包したコンテナの配送を支援する方法であって、
前記制御手段が、
前記配送アイテムデータ記憶手段に記録されたアイテムの中から、前記コンテナに梱包するアイテムを特定するアイテム特定処理段階と、
前記レーザ照射手段を用いて、前記搬送手段上のコンテナの可逆表示媒体に、前記特定
したアイテムに関する特定情報を画像として描画する書込制御段階と、
前記配送アイテムデータ記憶手段に対して、前記コンテナへの前記アイテムの梱包を識別するためのデータ更新を実行する更新処理段階と
を実行することを特徴とする配送支援方法。
【発明の詳細な説明】
【技術分野】
【０００１】
本発明は、情報の伝達を行なうために用いる配送支援システム及び配送支援方法に関し、具体的には、記録媒体に情報を目視可能にする印刷する技術に関するものである。
【背景技術】
【０００２】
今日、多様な電子情報を記憶させた情報記録媒体が利用されている。このような情報記録媒体において、記録された電子情報を目視できるように印刷する技術が開示されている（例えば、特許文献１参照。）。この引用文献１に記載の技術によれば、情報記録媒体は、可視情報として少なくとも１つの画像を含む変化情報を書き換え可能なリライト領域と、電子情報を記憶する記憶領域を有する記録媒体の基材を備えている。この情報記録媒体のリライト領域に、所持者の顔写真や利用履歴に応じた画像情報を印刷する領域と、所持者の個別情報とそれに応じた画像を印刷する領域を配置して、所持者の用意した写真と更新情報に応じてリライト領域を昇華型熱転写方式によって書き換えることができる。
【０００３】
また、工程管理情報を記憶した記憶領域と、記憶領域に記憶した工程管理情報を可視情報として表示するための書き換え可能領域とを有する情報記録媒体に関する技術も開示されている（例えば、特許文献２参照。）。この引用文献２に記載の技術によれば、情報記録媒体は、所定の工程毎に工程管理情報を記憶したＩＣ領域と、記憶した工程管理情報を可視情報として表示する書き換え領域とを備える。そして、各工程に対応付けられ、かつ書き換え領域に表示された可視情報を書き換えるためのリライタブル装置に通信手段を介してアクセス可能とする。情報記録媒体は、工程選択手段，工程管理情報読出手段，書き換え指示手段を備える。そして、アクセスしたリライタブル装置に対応した工程をＩＣ領域の中から選択し、選択した工程に応じた工程管理情報を読み出し、その工程管理情報に基づいて書き換えるようにリライタブル装置に指示する。
【特許文献１】特開２００４−２５８６９９号公報（第１頁、図１）
【特許文献２】特開２００４−２９５４０１号公報（第１頁）
【発明の開示】
【発明が解決しようとする課題】
【０００４】
上述の技術では、表示内容を変更する場合、情報処理装置やプリンタ等の電子機器が必要になる。しかし、多様な環境で作業等を行なう場合、このような電子機器を用いて書き換え処理を行なうことは煩雑である。特に、情報記録媒体を商品等の管理対象物に貼付する場合、書き換えの都度、情報記録媒体を管理対象物から取り外し、書き換え後に再度に貼付する作業が必要となる。
【０００５】
このように取り外し、再貼付という作業を行なう場合、本来のプロセスの効率を低下させるとともに、情報記録媒体にとっても応力が加わり劣化を招くことになる。
本発明は、上記課題を解決するためになされたものであり、その目的は、利用者が効率的に作業を行ない、更に確実に情報の伝達を行なうことができる配送支援システム及び配送支援方法を提供することにある。
【課題を解決するための手段】
【０００６】
上記問題点を解決するために、請求項１に記載の発明は、可視的に情報が可逆表示される可逆表示媒体を備えたコンテナと、前記コンテナの搬送手段と、前記可逆表示媒体に描画を行なうためのレーザ照射手段と、前記コンテナに梱包して配送するアイテムを記録した配送アイテムデータ記憶手段と、これらの制御手段とを備え、アイテムを梱包したコンテナの配送を支援するシステムであって、前記制御手段が、前記配送アイテムデータ記憶
手段に記録されたアイテムの中から、前記コンテナに梱包するアイテムを特定するアイテム特定処理手段と、前記レーザ照射手段を用いて、前記搬送手段上のコンテナの可逆表示媒体に、前記特定したアイテムに関する特定情報を画像として描画する書込制御手段と、前記配送アイテムデータ記憶手段に対して、前記コンテナへの前記アイテムの梱包を識別するためのデータ更新を実行する更新処理手段として機能することを要旨とする。
【０００７】
請求項２に記載の発明は、請求項１に記載の配送支援システムにおいて、前記配送支援システムは、前記可逆表示媒体に描画された画像を消去するためのレーザ照射手段を更に備えたことを要旨とする。
【０００８】
請求項３に記載の発明は、請求項１又は２に記載の配送支援システムにおいて、前記可逆表示媒体には、データを記録可能なＩＣタグが貼付され、前記ＩＣタグを、前記配送アイテムデータ記憶手段として用い、前記更新処理手段は、前記特定情報を画像として描画する場合に、前記ＩＣタグに記録された前記アイテムに関するデータを消去することを要旨とする。
【０００９】
請求項４に記載の発明は、請求項１又は２に記載の配送支援システムにおいて、前記可逆表示媒体には、データを記録可能なＩＣタグが貼付され、前記ＩＣタグを、前記配送アイテムデータ記憶手段として用い、前記更新処理手段は、前記特定情報を画像として描画する場合に、前記ＩＣタグに記録された前記アイテムに関するデータに対して梱包済みであることを示すフラグデータを記録することを要旨とする。
【００１０】
請求項５に記載の発明は、請求項１〜４のいずれか１つに記載の配送支援システムにおいて、前記可逆表示媒体には、位置認識用マーカが表示されており、前記配送支援システムは撮像手段を更に備え、前記制御手段は、前記撮像手段を用いて前記可逆表示媒体の位置認識用マーカを撮影して、前記レーザ照射手段に対する前記可逆表示媒体の傾きを算出し、前記傾きに応じて、前記アイテムに関する画像を変形して可逆表示媒体に描画することを要旨とする。
【００１１】
請求項６に記載の発明は、請求項１〜４のいずれか１つに記載の配送支援システムにおいて、前記制御手段は、前記搬送手段によるコンテナの移動速度を特定し、前記移動速度に応じて前記レーザ照射手段の照射位置を変更しながら、前記コンテナの可逆表示媒体への描画を行なうことを要旨とする。
【００１２】
請求項７に記載の発明は、可視的に情報が可逆表示される可逆表示媒体を備えたコンテナと、前記コンテナの搬送手段と、前記可逆表示媒体に描画を行なうためのレーザ照射手段と、前記コンテナに梱包して配送するアイテムを記録した配送アイテムデータ記憶手段と、これらの制御手段とを備え、アイテムを梱包したコンテナの配送を支援する方法であって、前記制御手段が、前記配送アイテムデータ記憶手段に記録されたアイテムの中から、前記コンテナに梱包するアイテムを特定するアイテム特定処理段階と、前記レーザ照射手段を用いて、前記搬送手段上のコンテナの可逆表示媒体に、前記特定したアイテムに関する特定情報を画像として描画する書込制御段階と、前記配送アイテムデータ記憶手段に対して、前記コンテナへの前記アイテムの梱包を識別するためのデータ更新を実行する更新処理段階とを実行することを要旨とする。
【００１３】
（作用）
請求項１又は７に記載の発明によれば、レーザ照射手段を用いて、搬送手段上のコンテナの可逆表示媒体に、特定したアイテムに関する特定情報を画像として描画する。そして、配送アイテムデータ記憶手段に対して、コンテナへのアイテムの梱包を識別するためのデータ更新を実行する。このため、コンテナを搬送しながら、アイテムに関する特定情報
を画像として描画することができ、プロセスの効率を向上させることができる。
【００１４】
請求項２に記載の発明によれば、可逆表示媒体に描画された画像を消去するためのレーザ照射手段を更に備える。これにより、コンテナの搬送中に不要な情報を消去することができ、必要な情報を確実に伝達できるので、プロセスの効率を向上させることができる。
【００１５】
請求項３に記載の発明によれば、ＩＣタグを、配送アイテムデータ記憶手段として用いる。そして、更新処理手段は、特定情報を画像として描画する場合に、ＩＣタグに記録されたアイテムに関するデータを消去する。これにより、ＩＣタグに格納された情報により、プロセスの対象になるアイテムを特定することができる。
【００１６】
請求項４に記載の発明によれば、ＩＣタグを、配送アイテムデータ記憶手段として用いる。そして、更新処理手段は、特定情報を画像として描画する場合に、ＩＣタグに記録されたアイテムに関するデータに対して梱包済みであることを示すフラグデータを記録する。これにより、ＩＣタグに格納された情報により、プロセスの対象になるアイテムを特定することができる。
【００１７】
請求項５に記載の発明によれば、制御手段は、撮像手段を用いて可逆表示媒体の位置認識用マーカを撮影して、レーザ照射手段に対する可逆表示媒体の傾きを算出する。そして、傾きに応じて、アイテムに関する画像を変形して可逆表示媒体に描画する。これにより、例えば、コンテナが傾いて設置されていたり、可逆表示媒体が傾いて貼付されていたりする場合にも傾き補正を行なうことができる。従って、可逆表示媒体上の適切な位置に、適切な画像を描画することができる。
【００１８】
請求項６に記載の発明によれば、制御手段は、搬送手段によるコンテナの移動速度を特定し、移動速度に応じてレーザ照射手段の照射位置を変更しながら、コンテナの可逆表示媒体への描画を行なうことにより、可逆表示媒体上の適切な位置に、適切な画像を描画することができる。
【発明の効果】
【００１９】
本発明によれば、確実に情報の伝達を行ないながら、効率的に作業を行なうことができる。
【発明を実施するための最良の形態】
【００２０】
以下、本発明を具体化した実施形態を、図１〜図８に従って説明する。本実施形態では、まとめて出荷する商品（アイテム）をコンテナに梱包して配送する場合に用いる配送支援システム及び配送支援方法として説明する。この配送支援には、図１に示すように管理サーバ２０、コンテナの搬送ライン、工程管理ユニット３０を用いる。具体的には、コンテナ１００にＩＣタグ付きリライタブルペーパ５００を貼付し、梱包管理を行なう。この場合、梱包に用いるコンテナ１００をコンベア４０に載置して搬送する。そして、梱包エリア４５において、必要な商品をコンテナ１００に格納する。本実施形態では、様々なサイズのコンテナ１００を使用する場合を想定する。
【００２１】
管理サーバ２０は、商品のコンテナ１００への梱包や配送の管理に関する各種データ処理を行なうコンピュータシステムである。この管理サーバ２０は、管理コンピュータ２１を備えている。
【００２２】
この管理コンピュータ２１は、工程管理ユニット３０との間でネットワークを介してデータの送受信や、梱包や配送を行なうための各種データの管理処理等を行なう。この管理コンピュータ２１は、図示しないＣＰＵ、ＲＡＭ、ＲＯＭ等を有し、後述する処理を行な
う。そのための管理プログラムを実行する。
【００２３】
更に、管理サーバ２０は、コンテナデータ記憶部２２、及び配送アイテムデータ記憶手段としての梱包配送データ記憶部２３を備えている。
コンテナデータ記憶部２２には、図２に示すように、商品配送時の梱包に用いるコンテナ１００に関するコンテナデータ２２０が記録される。このコンテナデータ２２０は、梱包に利用可能なコンテナ１００の登録を行なった場合に設定される。コンテナデータ２２０は、コンテナ毎に、コンテナＩＤ、サイズ、タグＩＤ及び使用履歴に関するデータを含んで構成される。
【００２４】
コンテナＩＤデータ領域には、各コンテナを特定するための識別子に関するデータが記録される。
サイズデータ領域には、このコンテナの大きさに関するデータが記録される。例えば、サイズとして容量や寸法に関するデータを記録する。
【００２５】
タグＩＤデータ領域には、このコンテナに貼付されたリライタブルペーパ５００のＩＣタグの識別子に関するデータが記録される。このタグＩＤは、コンテナに貼付されたリライタブルペーパ５００を貼り替えた場合には更新される。
使用履歴データ領域には、このコンテナの過去の使用状況に関するデータが記録される。本実施形態では、使用履歴として、梱包に使用した回数を用いる。
【００２６】
梱包配送データ記憶部２３には、図３に示すように、コンテナに格納する商品に関する梱包配送データ２３０が記録される。この梱包配送データ２３０は、コンテナに梱包して配送する商品群（パッケージ）が決まった場合に設定される。梱包配送データ２３０は、パッケージ毎に、パッケージＩＤ、コンテナＩＤ及び梱包商品に関するデータを含んで構成される。
【００２７】
パッケージＩＤデータ領域には、各パッケージを特定するための識別子に関するデータが記録される。
コンテナＩＤデータ領域には、このパッケージに利用するコンテナを特定するための識別子に関するデータが記録される。
【００２８】
梱包商品データ領域には、このコンテナに梱包する商品の品目ＩＤ毎に個数に関するデータが記録される。ここで、品目ＩＤは、格納される商品の品目を特定するための識別子である。
【００２９】
コンテナ１００の管理には、各コンテナの所定の側面に貼付された可逆表示媒体としてリライタブルペーパ５００を用いる。このリライタブルペーパ５００について、図４を用いて説明する。このリライタブルペーパ５００は、全体でＡ４版の大きさで、その一部にＩＣタグ５１０、書き換え可能な可逆表示領域としてのリライタブル表示領域５２０及び位置認識用マーカ５３０が設けられている。
【００３０】
このリライタブル表示領域５２０は、熱可逆性（Thermo-Chromic）フィルム等の可逆性感熱記録媒体により構成される。本実施形態の熱可逆性フィルムは、記録層にロイコ染料と顕色剤を含んでおり、リライタブル特性を実現する。すなわち、発色は、消色状態から融点以上（例えば約１８０℃）に加熱し、ロイコ染料と顕色剤とが混合した溶融状態から急冷することによって行なう。この場合、染料と顕色剤が結合したまま凝集し、ある程度規則的に集合した状態を形成して発色状態が固定される。一方、消色は、発色状態を溶融しない温度（例えば１２０〜１６０℃）に再加熱することにより行なう。この場合、発色の集合状態が崩れ、顕色剤が単独で結晶化して分離することによって消色状態になる。
【００３１】
ロイコ染料としては、無色又は淡色の染料前駆体であり、特に制限はなく、従来公知のもの中から適宜選択することができる。例えば、トリフェニルメタンフタリド系、トリアリルメタン系、フルオラン系、フェノチジアン系、チオフェルオラン系、キサンテン系、インドフタリル系、スピロピラン系のロイコ化合物を用いることができる。更に、アザフタリド系、クロメノピラゾール系、メチン系、ローダミンアニリノラクタム系、ローダミンラクタム系、キナゾリン系、ジアザキサンテン系、ビスラクトン系等のロイコ化合物を用いることもできる。これらの中で、発消色特性、色彩、保存性等の点からフルオラン系又はフタリド系のロイコ染料が好ましく、これらを単独で用いても混合しても良いし、異なる色調に発色する層を積層することによってマルチカラー、フルカラーにすることもできる。
【００３２】
本実施形態のリライタブルペーパ５００は、表面から深さ方向に向かって、保護層、熱可逆性フィルムで構成された記録層、基材層、バックコート層という４層をもって構成されている。そして、このリライタブルペーパ５００は、柔軟性と同時にある程度の強度特性を有するように構成され、繰り返し使用することができる。
【００３３】
位置認識用マーカ５３０は、このリライタブルペーパ５００の貼付位置や貼付状況を、撮像手段により特定する場合に用いる。本実施形態では、この位置認識用マーカ５３０を用いて、コンテナ１００が傾いて設置されていたり、リライタブルペーパ５００が傾いて貼付されていたりする場合に傾き補正を行なう。
【００３４】
ＩＣタグ５１０は、ＣＰＵ５１１、ＲＯＭ領域５１２、ＲＡＭ領域５１３、アンテナ部５１４を備える。ＲＯＭ領域５１２には、このリライタブルペーパ５００を識別するための識別情報（ここでは、このＩＣタグのタグＩＤデータ）が記録されている。また、ＲＡＭ領域５１３は可逆表示記憶手段として機能し、コンテナに梱包する商品に関する管理データが記録される。このアンテナ部５１４は、アンテナコイルにより構成される。このアンテナには、電波を受信し、共振作用により電磁誘導により起電力が発生する電磁誘導方式と、放射電磁界により起動する電波方式の２種類がある。いずれも外部からの電磁界によりＩＣタグ内のＩＣチップが起動し、チップ内の情報を信号化し、ＩＣタグから信号を発信する。
【００３５】
次に、本実施形態で用いられる工程管理ユニット３０について図５を用いて説明する。この工程管理ユニット３０はネットワークを介して管理サーバ２０に接続される。この工程管理ユニット３０は、制御手段としてのユニット制御部３１、ＩＣタグ通信部３２、消去レーザ駆動部３３、書込レーザ駆動部３４及び搬送駆動部３５を備える。
【００３６】
ユニット制御部３１は、各機能部（３２〜３５）を制御し、リライタブルペーパ５００に関する各種処理を実行する。ユニット制御部３１は、図示しないＣＰＵ、ＲＡＭ及びＲＯＭ等を有し、後述する処理（アイテム特定処理段階、書込制御段階、更新処理段階等を含む処理）を行なう。このための制御プログラムを実行することにより、ユニット制御部３１は、後述するアイテム特定処理手段、書込制御手段、更新処理手段等の各手段として機能する。
【００３７】
ＩＣタグ通信部３２は、非接触方式によりＩＣタグ５１０に対して電力を供給するとともにデータ送受信を行なう。そして、ＩＣタグ５１０に格納されるデータの読み出しや書込みを行なう。
【００３８】
消去レーザ駆動部３３は、図７に示すように撮像部３３１、消去用レーザ光源３３２、光学機構部３３３を備える。
撮像部３３１は、コンテナに貼付されたリライタブルペーパ５００の貼付位置や貼付状況を取得するために用いられる。ここでは、リライタブルペーパ５００上の位置認識用マーカ５３０を用いて貼付位置や貼付状況を特定する。
【００３９】
消去用レーザ光源３３２としては４０ＷのＣＯ２レーザを使用する。ＣＯ２レーザ（波長１０．６μｍ）は、熱可逆性フィルムによって吸収されるため、書込みおよび消去のための加熱を行なうことができる。
【００４０】
光学機構部３３３はガルバノメータとガルバノメータに取り付けられたミラーで構成される。レーザ光源から出力されたレーザ光をガルバノメータに取り付けられたＸ軸方向とＹ軸方向の２枚のミラーで高速回転走査することにより、リライタブルペーパ５００上の画像の消去を行なう。そして、消去用レーザ光源３３２と光学機構部３３３とにより、リライタブルペーパ５００の表面上のレーザ光強度を調整し、表面温度を１２０〜１６０℃になるようにして画像の消去を行なう。
【００４１】
また、書込レーザ駆動部３４は、図８に示すように撮像部３４１、書込用レーザ光源３４２、光学機構部３４３を備える。
撮像部３４１は、撮像部３３１と同様に、コンテナに貼付されたリライタブルペーパ５００の貼付位置や貼付状況を取得するために用いられる。
【００４２】
書込用レーザ光源３４２としては、消去用レーザ光源３３２と同様に４０ＷのＣＯ２レーザを使用する。
光学機構部３４３は、光学機構部３３３と同様にガルバノメータとガルバノメータに取り付けられたミラーで構成される。ここでは、記録媒体上に画像の形成を行なうために用いる。そして、書込用レーザ光源３４２と光学機構部３４３とにより、リライタブルペーパ５００の表面上のレーザ光強度を調整し、表面温度を１８０℃になるようにして発色を行なう。
【００４３】
また、搬送駆動部３５は、消去や書込状況に応じてコンベアを停止させたり、搬送速度を落としたりする。また、搬送駆動部３５は、コンベアの搬送速度に関するデータをユニット制御部３１に供給する。
【００４４】
上記のように構成された管理サーバ２０、工程管理ユニット３０、リライタブルペーパ５００を用いて、出荷する商品の梱包を行なう場合の処理手順を、図６を用いて説明する。
【００４５】
まず、商品の出荷を行なう場合、出荷する商品の梱包指示を作成する。具体的には、管理コンピュータ２１は、出荷管理のためのデータ記憶部（図示せず）から出荷予定商品を検索する。出荷予定がある場合には、管理コンピュータ２１は、一つのコンテナに梱包してパッケージとして配送する商品をまとめてパッケージＩＤを割り振る。更に、管理コンピュータ２１は、このパッケージを構成する商品の品目ＩＤ及び個数に関するデータを含む梱包配送データ２３０を梱包配送データ記憶部２３に記録する。
【００４６】
そして、梱包に用いるコンテナ１００を、コンベア４０に載置する。載置されたコンテナ１００は、コンベア４０によって順次搬送される。
そして、コンテナ１００が工程管理ユニット３０の設置エリアに到達した場合、まず、管理コンピュータ２１は、コンテナ１００の特定を行なう（ステップＳ１−１）。具体的には、工程管理ユニット３０のユニット制御部３１は、ＩＣタグ通信部３２を用いて、リライタブルペーパ５００のＩＣタグのタグＩＤを読み取る。そして、ユニット制御部３１は、このタグＩＤに関するデータを、ネットワークを介して管理サーバ２０に送信する。
【００４７】
タグＩＤに関するデータを受信した管理サーバ２０の管理コンピュータ２１は、このコンテナに梱包するパッケージを特定する（ステップＳ１−２）。具体的には、管理コンピュータ２１は、コンテナデータ記憶部２２から、受信したタグＩＤが記録されたコンテナデータ２２０を特定する。そして、管理コンピュータ２１は、このコンテナデータ２２０を用いてコンテナ１００の使用履歴を確認する。例えば、使用履歴において、このコンテナ１００が所定回数以上、使用されている場合には、コンベア４０を駆動してコンテナ１００を洗浄工程に誘導する。この場合には、コンベア制御部に指示を送信し、梱包配送ラインから洗浄ラインに誘導する。一方、コンテナデータ記憶部２２に記録された使用履歴に基づいて使用可能な場合には、管理コンピュータ２１は、タグＩＤに基づいて、このコンテナ１００のサイズを特定する。
【００４８】
次に、管理コンピュータ２１は、梱包配送データ記憶部２３に記録された梱包配送データ２３０を用いて、このコンテナ１００のサイズにあったパッケージを特定する。具体的には、管理コンピュータ２１は、梱包配送データ２３０に含まれる品目ＩＤ毎に、各商品の容量に関するデータを、商品品目データ記憶部（図示せず）から取得する。そして、管理コンピュータ２１は、品目ＩＤ毎に容量に個数を乗算し、総容量を概算する。そして、総容量が、このコンテナ１００のサイズ以下のパッケージＩＤを特定する。
【００４９】
ここで、新規にコンテナ１００に梱包するパッケージを決定した場合には、管理コンピュータ２１は、このコンテナ１００のコンテナデータ２２０の使用履歴における回数に「１」を加算する。更に、ユニット制御部３１に対して、ＩＣタグ５１０への書込指示を送信する。この書込指示は、決定したパッケージＩＤと、このパッケージＩＤの梱包配送データ２３０に含まれるすべての梱包商品データ（品目ＩＤ及び個数）に関するデータを含む。
【００５０】
この場合、まず、ユニット制御部３１は、ＩＣタグ通信部３２を用いて、ＩＣタグ５１０のＲＡＭ領域５１３を初期化する。そして、ユニット制御部３１は、管理コンピュータ２１から受信したパッケージＩＤと、すべての梱包商品データ（品目ＩＤ及び個数）に関するデータをＩＣタグ５１０のＲＡＭ領域５１３に書き込む。
【００５１】
次に、ユニット制御部３１は、特定したパッケージにおいて最初に梱包する品目を特定する（ステップＳ１−３）。ここでは、ユニット制御部３１は、ＩＣタグ５１０のＲＡＭ領域５１３に記録されている品目ＩＤの中から任意の品目ＩＤを特定する。そして、ユニット制御部３１は、特定した品目ＩＤに関するデータを一時的に記憶すると同時に、この品目ＩＤに関するデータをＩＣタグ５１０のＲＡＭ領域５１３から削除する。
【００５２】
次に、ユニット制御部３１は、消去処理を実行する（ステップＳ１−４）。この処理を、図７を用いて説明する。
ここでは、ユニット制御部３１は、消去レーザ駆動部３３の撮像部３３１を用いて、このコンテナ１００に貼付されたリライタブルペーパ５００の位置を特定する（ステップＳ２−１）。そして、ユニット制御部３１は、搬送駆動部３５を用いて、コンベア４０の搬送速度を制御する（ステップＳ２−２）。コンベア４０の搬送速度を取得し、消去可能な速度範囲に制御する。
【００５３】
更に、ユニット制御部３１は、撮像部３３１によって撮影された画像に基づいて傾き補正を行なう（ステップＳ２−３）。
そして、ユニット制御部３１は、搬送駆動部３５における搬送速度と、撮像部３３１によって撮影された画像に基づいてレーザ照射領域とレーザ光強度とを算出する。すなわち、レーザ光に対してコンテナ１００が傾いている場合、レーザ照射領域の面積が狭くなる
。また、リライタブルペーパ５００表面上のレーザ光強度が低下する。このため、搬送速度に基づいて、レーザ光の走査範囲を決定し、更に、表面温度が１２０〜１６０℃になるレーザ光強度を算出する。この場合には、書込処理の場合に比べて、デフォーカスにしてレーザ照射面積を大きくする。これにより、表面温度を下げて消去に適した温度に設定することができる。更に、レーザ照射面積が大きくなるため、短時間に消去を行なうことができる。
そして、ユニット制御部３１は、消去用レーザ光源３３２と光学機構部３３３とを用いて、消去のためのレーザ照射を指示する（ステップＳ２−４）。
【００５４】
次に、ユニット制御部３１は、書込処理を実行する（ステップＳ１−５）。ここでは、ステップＳ１−３において特定した商品ＩＤと、梱包する個数に関するデータを用いる。この処理を、図８を用いて説明する。
【００５５】
ここでは、ユニット制御部３１は、書込レーザ駆動部３４の撮像部３４１を用いて、このコンテナ１００に貼付されたリライタブルペーパ５００の位置を特定する（ステップＳ３−１）。そして、ユニット制御部３１は、搬送駆動部３５を用いて、搬送速度を制御する（ステップＳ３−２）。更に、ユニット制御部３１は、撮像部３４１によって撮影された画像に基づいて傾き補正を行なう（ステップＳ３−３）。
【００５６】
そして、ユニット制御部３１は、搬送駆動部３５における搬送速度と、撮像部３４１によって撮影された画像に基づいてレーザ照射領域とレーザ光強度とを算出する。すなわち、搬送速度に基づいて、レーザ光の走査範囲を決定し、更に、表面温度が１８０℃になるレーザ光強度を算出する。これにより、コンテナ１００が傾いている場合にも、適切なレーザ照射領域を特定することができる。
【００５７】
そして、ユニット制御部３１は、書込データを生成する（ステップＳ３−４）。具体的には、ユニット制御部３１は、管理コンピュータ２１から受信した品目と個数に関するデータに基づいてリライタブルペーパ５００に描画するデータを生成する。この場合、傾き補正に基づき書込データを変形し、搬送駆動部３５における搬送速度に基づいて、書込データの走査軌跡を決定する。
【００５８】
ユニット制御部３１は、書込用レーザ光源３４２と光学機構部３４３とを用いて、書込のためのレーザ照射を指示する（ステップＳ３−５）。これにより、リライタブルペーパ５００には、梱包エリア４５で梱包を行なう商品と、その個数を含む画像が描画される。
そして、梱包エリア４５では、リライタブルペーパ５００に描画された商品の梱包作業が行なわれる。
【００５９】
次の工程管理ユニット３０の設置エリアでは、ステップＳ１−１〜Ｓ１−５が繰り返される。すなわち、ユニット制御部３１は、コンテナを特定し（ステップＳ１−１）、このコンテナに梱包するパッケージを特定する（ステップＳ１−２）。既に、ＩＣタグ５１０のＲＡＭ領域５１３にパッケージＩＤに関するデータが記録されている場合には、まだ格納フラグの付与されていない品目ＩＤの中から梱包する品目を特定する（ステップＳ１−３）。ここでは、既にコンテナ１００に梱包するパッケージを決定されているので、ユニット制御部３１は、ＩＣタグ通信部３２を用いて、新たに梱包する商品ＩＤと個数に関するデータをＲＡＭ領域５１３から取得し、一時的に記憶すると同時に、この品目ＩＤに関するデータをＩＣタグ５１０のＲＡＭ領域５１３から削除する。
【００６０】
更に、管理コンピュータ２１は、リライタブルペーパ５００に描画された画像の消去処理（ステップＳ１−４）、梱包する商品ＩＤと個数に関する画像を描画する書込処理（ステップＳ１−５）を実行する。これにより、順次、コンテナ１００に格納される商品が梱
包される。
【００６１】
本実施形態によれば、以下のような効果を得ることができる。
・  本実施形態においては、工程管理ユニット３０はネットワークを介して管理サーバ２０に接続される。この工程管理ユニット３０は、ユニット制御部３１、ＩＣタグ通信部３２、消去レーザ駆動部３３、書込レーザ駆動部３４及び搬送駆動部３５を備える。そして、管理コンピュータ２１は、ＩＣタグ５１０のＲＡＭ領域５１３に記録されている品目ＩＤの中から任意の品目ＩＤを特定する。そして、ユニット制御部３１は、書込処理を実行する（ステップＳ１−５）。ここでは、ステップＳ１−３において特定した商品ＩＤと、梱包する個数に関するデータを用いる。これにより、リライタブルペーパ５００に表示された情報に基づいて、梱包を行なうことができる。
【００６２】
・  本実施形態においては、ユニット制御部３１は、消去処理を実行し（ステップＳ１−４）、その後、書込処理を実行する（ステップＳ１−５）。消去処理と書込処理とを繰り返して実行するため、リライタブルペーパ５００には今回、梱包すべき商品に関する必要情報のみが表示される。従って、不要な情報を消去することができ、必要な情報を確実に伝達できるので、確実に梱包処理を行ない、効率を向上させることができる。
【００６３】
・  本実施形態においては、コンテナデータ記憶部２２には、商品配送時の梱包に用いるコンテナ１００に関するコンテナデータ２２０が記録される。コンテナデータ２２０は、コンテナ毎に、コンテナＩＤ、サイズ、タグＩＤ及び使用履歴に関するデータを含んで構成される。これにより、タグＩＤを特定することによって、コンテナ１００のサイズを特定することができる。従って、パッケージの容量に合ったコンテナ１００を使用することができる。
【００６４】
・  本実施形態においては、ユニット制御部３１は、管理コンピュータ２１から受信したパッケージＩＤと、すべての梱包商品データ（品目ＩＤ及び個数）に関するデータをＩＣタグ５１０のＲＡＭ領域５１３に書き込む。そして、ユニット制御部３１は、特定したパッケージにおいて最初に梱包する品目を特定する（ステップＳ１−３）。ここでは、ユニット制御部３１は、ＩＣタグ５１０のＲＡＭ領域５１３に記録されている品目ＩＤの中から任意の品目ＩＤを特定する。そして、ユニット制御部３１は、特定した品目ＩＤに関するデータを一時的に記憶すると同時に、この品目ＩＤに関するデータをＩＣタグ５１０のＲＡＭ領域５１３から削除する。これにより、ＩＣタグ５１０には、未梱包の商品に関するデータのみが残る。そして、ＩＣタグ５１０に格納された情報により、梱包の対象になる商品を特定することができる。そして、コンテナ１００に格納する商品をＩＣタグ５１０にて特定し、リライタブルペーパ５００に梱包を行なう商品と個数に関する画像を描画することができる。
【００６５】
・  本実施形態においては、リライタブルペーパ５００は、全体でＡ４版の大きさで、その一部にＩＣタグ５１０、書き換え可能な可逆表示媒体としてのリライタブル表示領域５２０、位置認識用マーカ５３０が設けられている。この位置認識用マーカ５３０を用いて、コンテナ１００が傾いて設置されていたり、リライタブルペーパ５００が傾いて貼付されていたりする場合の傾き補正を行なうことができる。従って、可逆表示媒体上の適切な位置に、適切な画像を描画することができる。
【００６６】
・  本実施形態においては、ユニット制御部３１は、ＩＣタグ通信部３２、消去レーザ駆動部３３、書込レーザ駆動部３４及び搬送駆動部３５を制御する。このため、コンベア上で消去、書込みを行なうことができるので、効率的に梱包作業を行なうことができる。
【００６７】
・  本実施形態においては、消去レーザ駆動部３３と書込レーザ駆動部３４とを別個に
設けて、それぞれで消去処理と書込処理とを実行する。このため、消去と書込みとを分業し、搬送速度を速くして迅速に処理を行なうことができる。
【００６８】
なお、上記各実施形態は以下のように変更してもよい。
○  上記実施形態では、消去レーザ駆動部３３と書込レーザ駆動部３４とを別個に設けて、それぞれで消去処理と書込処理とを実行する。これに代えて、一つのレーザ照射手段を用いて消去処理と書込処理とを実行してもよい。この場合には、消去処理時と書込処理時とにおいては、それぞれ照射するレーザ光強度を変更し、リライタブルペーパ５００の表面上の温度を変更する。具体的には、書込処理に比べてデフォーカスにしてレーザ照射面積を大きくする。この場合、レーザ装置は１台で，光学系の工夫により消去処理と書込処理でフォーカスを変える。具体的には、光路を切り替えてフォーカスを変更する方法や、「ｆシータ」レンズを前後させてフォーカスを変える方法を用いることができる。
【００６９】
更に、１台のレーザ装置において装置自体は変えず、コンベア側でコンテナの位置を前後させてフォーカスを変更することによっても消去処理と書込処理とを実行することができる。この場合、ユニット制御部３１が、消去処理と書込処理のレーザ照射タイミングとコンテナの動きを連動させるように制御する。これにより、少ないリソースで消去と書込みを行なうことができる。
【００７０】
○  上記実施形態では、ユニット制御部３１を制御手段として機能させるが、管理コンピュータ２１を制御手段として機能させてもよい。この場合、管理コンピュータ２１がアイテム特定処理段階、書込制御段階、更新処理段階等を含む処理を行なう。このための制御プログラムを実行することにより、管理コンピュータ２１は、アイテム特定処理手段、書込制御手段、更新処理手段等の各手段として機能する。これにより、複数の工程管理ユニット３０を統合して制御することができる。
【００７１】
○  上記実施形態では、レーザ光源としてＣＯ２レーザを用いたが、これに限定されるものではなく、ＹＡＧレーザ、ファイバーレーザ、半導体レーザ（ＬＤ）等を用いることが可能である。例えば、ＹＡＧレーザ、ファイバーレーザ、ＬＤの波長は可視〜近赤外（数百μｍ〜１．２μｍ）であり、レーザ光を吸収して熱に変換する光熱変換材料の添加が必要となるが、波長が短いため高精細画像を形成することができる。また、ＹＡＧレーザやファイバーレーザは高出力であるため、消去処理や書込処理を短時間に行なうことができる。また、ＬＤはレーザ自体が小さいため、装置の小型化や低価格化を実現することができる。
【００７２】
○  上記実施形態では、このリライタブルペーパ５００には、ＩＣタグ５１０が付され、アンテナ部５１４により非接触で工程管理ユニット３０との間でデータ送受信を行なう。この場合、リライタブルペーパ５００に表示される印字内容データが記録できるメモリを備えていれば、ＩＣタグに限定されるものではない。例えば、印字内容データ基づいて２次元コードを生成し、リライタブル表示領域５２０にこの２次元コードを印字することにより、コンテナに格納すべきアイテムに関する情報を記録してもよい。この場合には、撮像手段により２次元コードを読み取ることにより、各種情報を取得することができる。更に、コンテナにアイテムを格納した場合には、格納したアイテムを識別するための情報を２次元コードにしてリライタブル表示領域５２０に書き込む。これにより、ＩＣタグを用いることなく情報の伝達を行なうことができる。
【００７３】
○  上記実施形態では、ユニット制御部３１は、管理コンピュータ２１から受信したパッケージＩＤと、すべての梱包商品データ（品目ＩＤ及び個数）に関するデータをＩＣタグ５１０のＲＡＭ領域５１３に書き込む。最初に梱包する品目を特定した場合、ユニット制御部３１は、特定した品目ＩＤに関するデータを一時的に記憶すると同時に、この品目
ＩＤに関するデータをＩＣタグ５１０のＲＡＭ領域５１３から削除する。そして、残ったデータに基づいて、梱包すべき商品を特定する。これに代えて、管理コンピュータ２１が、梱包のたびに、梱包配送データ記憶部２３に記録された梱包配送データ２３０の商品の品目ＩＤに梱包完了フラグを記録することにより、格納したアイテムを識別することもできる。この場合、ＲＡＭ領域５１３に、このコンテナに梱包する商品の品目ＩＤ毎に個数及び格納フラッグに関するデータを記録する。この格納フラッグは梱包済みであることを示すフラグデータとして機能し、梱包の有無を特定するための識別子であり、梱包の指示を行なった場合に記録される。そして、ステップＳ１−３においては、まだ格納フラグの付与されていない品目ＩＤの中から梱包する品目を特定する。これにより、ＩＣタグ５１０のＲＡＭ領域５１３に記憶されたデータを利用して、このコンテナ１００に格納されたアイテムを特定することができる。
【図面の簡単な説明】
【００７４】
【図１】本発明の実施形態のシステムの説明図。
【図２】コンテナデータ記憶部に記録されたデータの説明図。
【図３】梱包配送データ記憶部に記録されたデータの説明図。
【図４】リライタブルペーパとＩＣタグの説明図。
【図５】工程管理ユニットの説明図。
【図６】本発明の実施形態の処理手順の説明図。
【図７】本発明の実施形態の処理手順の説明図。
【図８】本発明の実施形態の処理手順の説明図。
【符号の説明】
【００７５】
２０…管理サーバ、２１…管理コンピュータ、２２…コンテナデータ記憶部、２３…梱包配送データ記憶部、３０…工程管理ユニット、３２…ＩＣタグ通信部、３３…消去レーザ駆動部、３４…書込レーザ駆動部、３５…搬送駆動部、４０…搬送手段としてのコンベア、１００…コンテナ、５００…可逆表示媒体としてのリライタブルペーパ、５２０…可逆表示媒体としてのリライタブル表示領域、５１０…ＩＣタグ、５１２…ＲＯＭ領域、５１３…ＲＡＭ領域、５３０…位置認識用マーカ。
【図１】
2007076768.tif 000003
【図２】
2007076768.tif 000004
【図３】
2007076768.tif 000005
【図４】
2007076768.tif 000006
【図５】
2007076768.tif 000007
【図６】
2007076768.tif 000008
【図７】
2007076768.tif 000009
【図８】
2007076768.tif 000010